(57)【要約】【課題】ＩＰネットワークを介して通信を行う通信装置において、複数のチャネルの音声データを効果的に通信する。【解決手段】ＩＰネットワークを介して通信を行う通信装置において、取得手段が複数のチャネルの音声データを送信対象として取得し、ＲＴＰパケット生成手段が予め定められた期間毎に当該期間内に前記取得手段により取得された音声データをまとめて１つのＲＴＰパケットを生成し、送信手段が前記ＲＴＰパケット生成手段により生成されたＲＴＰパケットを前記ＩＰネットワークに対して送信する、ことにより、複数のチャネルの音声データを効果的に通信する。【選択図】  図３
2010068366.tif 000002
【特許請求の範囲】
【請求項１】
ＩＰネットワークを介して通信を行う通信装置において、
複数のチャネルの音声データを送信対象として取得する取得手段と、
予め定められた期間毎に当該期間内に前記取得手段により取得された音声データをまとめて１つのＲＴＰパケットを生成するＲＴＰパケット生成手段と、
前記ＲＴＰパケット生成手段により生成されたＲＴＰパケットを前記ＩＰネットワークに対して送信する送信手段と、
を備えたことを特徴とする通信装置。
【発明の詳細な説明】
【技術分野】
【０００１】
本発明は、例えば、無線基地局装置や無線回線制御装置などの通信装置に関し、特に、複数のチャネルの音声データを効果的に通信する通信装置に関する。
【背景技術】
【０００２】
図７には、従来技術に係る自営系のデジタル無線システムの構成例を示してある。
本例のデジタル無線システムでは、複数の無線基地局装置Ｄ１〜Ｄ３と１つの無線回線制御装置２０１との間を専用のデジタル回線（デジタル専用線）２１３で結んでいる。なお、各無線基地局装置Ｄ１〜Ｄ３は、デジタル専用線２１１や各回線終端装置（ＤＳＵ：Ｄｉｇｉｔａｌ  Ｓｅｒｖｉｃｅ  Ｕｎｉｔ）２２１〜２２３を介してデジタル専用線２１３と接続され、また、無線回線制御装置２０１は、デジタル専用線２１２や各無線基地局装置Ｄ１〜Ｄ３に対応した各ＤＳＵ２２４〜２２６を介してデジタル専用線２１３と接続される。
【０００３】
ここで、各ＤＳＵ２２１〜２２３は、各無線基地局装置Ｄ１〜Ｄ３とデジタル専用線２１３との間のインタフェースの機能を有している。
また、各ＤＳＵ２２４〜２２６は、無線回線制御装置２０１とデジタル専用線２１３との間のインタフェースの機能を有している。
また、本例のデジタル無線システムでは複数の移動局装置Ｅ１〜Ｅ４が設けられており、各無線基地局装置Ｄ１〜Ｄ３は自局のサービスエリアに存在する移動局装置Ｅ１〜Ｅ４との間で音声データや通信制御用データを無線により通信する。
【０００４】
本例のデジタル無線システムでは、移動局装置Ｅ１〜Ｅ４からの音声データ及び通信制御用データが、無線基地局装置Ｄ１〜Ｄ３を経由して、デジタル専用線２１３を通って、無線回線制御装置２０１へ送られる。無線回線制御装置２０１は、必要な回線制御を行い、デジタル専用線２１３や無線基地局装置Ｄ１〜Ｄ３を介して、音声データ及び通信制御用データを移動局装置Ｅ１〜Ｅ４へ送信する。
【０００５】
【特許文献１】特開平１０−３２２３５９号公報
【発明の開示】
【発明が解決しようとする課題】
【０００６】
しかしながら、図７に示されるような従来のデジタル無線システムでは、無線基地局装置Ｄ１〜Ｄ３と無線回線制御装置２０１との間を専用のデジタル回線（デジタル専用線）２１３で結んでおり、無線基地局装置Ｄ１〜Ｄ３毎に一本以上のデジタル回線が必要であったため、無線回線制御装置２０１側における無線基地局装置Ｄ１〜Ｄ３との回線接続回路が大規模になるといった問題があった。
【０００７】
本発明は、このような従来の事情に鑑み為されたもので、例えば、ＩＰネットワーク通信に対応したシステムにおいて、複数のチャネルの音声データ（例えば、複数の移動局装置に対応した音声データ）を効果的に通信することができる通信装置を提供することを目的とする。
【課題を解決するための手段】
【０００８】
上記目的を達成するため、本発明では、ＩＰネットワークを介して通信を行う通信装置において、次のような構成とした。
すなわち、取得手段が、複数のチャネルの音声データを送信対象として取得する。ＲＴＰパケット生成手段が、予め定められた期間毎に、当該期間内に前記取得手段により取得された音声データをまとめて１つのＲＴＰパケットを生成する。送信手段が、前記ＲＴＰパケット生成手段により生成されたＲＴＰパケットを前記ＩＰネットワークに対して送信する。
従って、例えば、ＩＰネットワーク通信に対応したシステムにおいて、複数のチャネルの音声データを効果的に通信することができる。
【０００９】
ここで、通信装置としては、種々なものが用いられてもよく、例えば、無線基地局装置（基地局装置）や無線回線制御装置（回線制御装置）などに適用することが可能である。
また、ＩＰネットワークとしては、種々なものが用いられてもよい。
また、複数のチャネルとしては、種々なものが用いられてもよく、一例として、複数の端末装置（例えば、移動局装置）のそれぞれに１つのチャネルを割り当てるような態様を用いることができる。
【００１０】
また、複数のチャネルの音声データを送信対象として取得する取得手段としては、一例として、他の１つ以上の装置から送信された複数のチャネルの音声データを受信する受信手段として構成することにより、これら複数のチャネルの音声データを送信対象として取得することができ、他の一例として、他の１つ以上の装置から送信された（状況に応じて、０又は１つ以上のチャネルの）音声データを受信することや、自装置において回線制御等して送信対象となった（状況に応じて、０又は１つ以上のチャネルの）音声データを取得することで、これらを合わせた複数のチャネルの音声データを送信対象として取得することができる。
【００１１】
また、予め定められた期間（時間）としては、種々なものが用いられてもよく、例えば、通信装置が設けられるシステムにおいて予め定められた単位時間（一定の時間）が用いられ、この場合、この単位時間毎にＲＴＰパケットを生成する処理が繰り返して行われる。
また、ＲＴＰパケットをＩＰネットワークに対して送信する態様としては、例えば、ＩＰネットワークに対して直接的に送信する態様を用いることができ、或いは、他の装置や媒体などを介してＩＰネットワークに対して間接的に送信するような態様が用いられてもよい。
【発明の効果】
【００１２】
以上説明したように、本発明に係る通信装置によると、例えば、ＩＰネットワーク通信に対応したシステムにおいて、複数のチャネルの音声データを効果的に通信することができる。
【発明を実施するための最良の形態】
【００１３】
本発明に係る実施例を図面を参照して説明する。
図１には、本発明の一実施例に係るデジタル無線システムの構成例を示してある。
本例のデジタル無線システムは、複数の無線基地局装置Ａ１〜Ａ３と、複数の移動局装置Ｂ１〜Ｂ３と、無線回線制御装置１と、各無線基地局装置Ａ１〜Ａ３に対応した複数のルータ２１〜２３と、無線回線制御装置１に対応したルータ２４と、各無線基地局装置Ａ１〜Ａ３と各ルータ２１〜２３とを接続する回線１１と、無線回線制御装置１とルータ２４とを接続する回線１２と、各ルータ２１〜２４が接続されるＩＰ（Ｉｎｔｅｒｎｅｔ  Ｐｒｏｔｏｃｏｌ）ネットワーク網１３を備えている。
【００１４】
ここで、無線回線制御装置１は、異なる無線基地局装置Ａ１〜Ａ３の間でデータの中継をする。
また、各無線基地局装置Ａ１〜Ａ３は、自局のサービスエリアに存在する移動局装置Ｂ１〜Ｂ３との間で通信制御用データや音声データを無線により通信する。
また、ＩＰネットワーク網１３としては、種々なものが用いられてもよい。
また、回線１１、１２としては、ＩＰデータを伝送する種々なものが用いられてもよく、例えば、Ｅｔｈｅｒｎｅｔ（登録商標）を用いることができる。
【００１５】
本例のデジタル無線システムでは、各無線基地局装置Ａ１〜Ａ３と無線回線制御装置１は、それぞれ、ＩＰネットワークへのインタフェースを備えており、ＩＰネットワーク網１３を介して互いに接続する。
各移動局装置Ｂ１〜Ｂ３からの通信制御用データや音声データが、無線基地局装置Ａ１〜Ａ３を経由して、ＩＰネットワーク網１３を通って、無線回線制御装置１へ送られる。無線回線制御装置１は、必要な回線制御を行い、ＩＰネットワーク網１３及び無線基地局装置Ａ１〜Ａ３を介して、通信制御用データや音声データを移動局装置Ｂ１〜Ｂ３へ送信する。
【００１６】
なお、移動局装置Ｂ１〜Ｂ３と無線基地局装置Ａ１〜Ａ３との間で通信される信号や、無線基地局装置Ａ１〜Ａ３と無線回線制御装置１との間で通信される信号には、例えば、送信元となる装置を識別することが可能な情報や、送信先（宛先）となる装置を識別することが可能な情報が含められる。
【００１７】
図２には、装置間のデータ送受信に関して、無線基地局装置Ａ１〜Ａ３の構成例及び無線回線制御装置１の構成例を示してある。なお、本例では、各無線基地局装置Ａ１〜Ａ３は、同様な構成を有しており同様な動作を行う。
各無線基地局装置Ａ１〜Ａ３や無線回線制御装置１は、通信制御用データからＴＣＰ（Ｔｒａｎｓｍｉｓｓｉｏｎ  Ｃｏｎｔｒｏｌ  Ｐｒｏｔｏｃｏｌ）パケットへの変換及びＴＣＰパケットから通信制御用データへの変換を行う通信制御用データ変換部３１、４１、５１と、ＴＣＰ／ＩＰのプロトコルによってＴＣＰパケットの送受信を行うＴＣＰパケット送受信部３２、４２、５２と、音声データからＲＴＰ（Ｒｅａｌ  ｔｉｍｅ  Ｔｒａｎｓｐｏｒｔ  Ｐｒｏｔｏｃｏｌ）パケットへの変換及びＲＴＰパケットから音声データへの変換を行う音声データ変換部３３、４３、５３と、ＲＴＰ／ＲＴＣＰのプロトコルによってＲＴＰパケットの送受信を行うＲＴＰパケット送受信部３４、４４、５４を備えている。ここで、ＲＴＣＰは、ＲＴＰ  Ｃｏｎｔｒｏｌ  Ｐｒｏｔｏｃｏｌを表す。
【００１８】
各無線基地局装置Ａ１〜Ａ３や無線回線制御装置１において行われる概略的な動作の一例を示す。
各無線基地局装置Ａ１〜Ａ３は、移動局装置Ｂ１〜Ｂ３から受信した通信制御用データを通信制御用データ変換部３１、４１によりＴＣＰパケットへ変換し、これにより得られたＴＣＰパケットをＴＣＰパケット送受信部３２、４２により無線回線制御装置１へ送信する。また、各無線基地局装置Ａ１〜Ａ３は、移動局装置Ｂ１〜Ｂ３から受信した音声データを音声データ変換部３３、４３によりＲＴＰパケットへ変換し、これにより得られたＲＴＰパケットをＲＴＰパケット送受信部３４、４４により無線回線制御装置１へ送信する。
【００１９】
無線回線制御装置１は、ＴＣＰパケット送受信部５２により無線基地局装置Ａ１〜Ａ３から受信したＴＣＰパケットを通信制御用データ変換部５１により通信制御用データへ変換して、所定の回線制御を行う。ここで、送信元の無線基地局装置Ａ１〜Ａ３は、受信したデータの送信元ＩＰアドレス（例えば、受信したデータに含まれる情報）により特定する。また、無線回線制御装置１は、ＲＴＰパケット送受信部５４により無線基地局装置Ａ１〜Ａ３から受信したＲＴＰパケットを音声データ変換部５３により音声データへ変換して、所定の回線交換処理を行う。
【００２０】
回線制御処理などにより、移動局装置Ｂ１〜Ｂ３や無線基地局装置Ａ１〜Ａ３に対して回線制御を行う必要が生じた場合などに、無線回線制御装置１は、送信が必要となる通信制御用データを通信制御用データ変換部５１によりＴＣＰパケットへ変換し、これにより得られたＴＣＰパケットをＴＣＰパケット送受信部５２により無線基地局装置Ａ１〜Ａ３（例えば、該当するもの）へ送信する。また、無線回線制御装置１は、回線交換処理により移動局装置Ｂ１〜Ｂ３への送信が必要となった音声データを音声データ変換部５３によりＲＴＰパケットへ変換し、これにより得られたＲＴＰパケットをＲＴＰパケット送受信部５４により無線基地局装置Ａ１〜Ａ３（例えば、該当するもの）へ送信する。
【００２１】
各無線基地局装置Ａ１〜Ａ３は、ＴＣＰパケット送受信部３２、４２により無線回線制御装置１から受信したＴＣＰパケットを通信制御用データ変換部３１、４１により通信制御用データへ変換し、これにより得られた通信制御用データについて、移動局装置Ｂ１〜Ｂ３へ無線により送信するか、或いは、自装置内において所定の処理を行う。なお、通信制御用データには、例えば、その宛先の情報（例えば、宛先となる装置の識別情報）が含められる。また、各無線基地局装置Ａ１〜Ａ３は、ＲＴＰパケット送受信部３４、４４により無線回線制御装置１から受信したＲＴＰパケットを音声データ変換部３３、４３により音声データへ変換し、これにより得られた音声データを移動局装置Ｂ１〜Ｂ３（例えば、該当するもの）へ無線により送信する。
【００２２】
次に、各無線基地局装置Ａ１〜Ａ３や無線回線制御装置１において行われる音声データとＲＴＰパケットの変換処理について詳しく説明する。
ここで、本例では、システムにおいて単位時間となる一定の時間間隔（例えば、４０ｍｓ）が設定されており、例えば、移動局装置Ｂ１〜Ｂ３から無線基地局装置Ａ１〜Ａ３へ複数のチャネルの音声データが同期して同一の時間（前記した単位時間となる一定の時間間隔の範囲内）に来ることが繰り返されるようになっており、各装置における処理が前記した単位時間となる一定の時間間隔に基づいて行われるようになっている。
【００２３】
また、本例では、音声データについては、１つの移動局装置Ｂ１〜Ｂ３が１つのチャネルを使用するものとし、各移動局装置Ｂ１〜Ｂ３毎の音声データが各チャネル毎の音声データとなる。また、本例では、通信制御用データについては、音声データとは異なるチャネルを使用して通信される。
なお、他の構成例として、１つの移動局装置Ｂ１〜Ｂ３が２つ以上のチャネルを使用して音声データを通信することが可能な構成が用いられてもよい。
【００２４】
図３には、無線基地局装置Ａ１の音声データ変換部３３によるＲＴＰパケット送信時の変換の様子の一例を示してある。なお、他の無線基地局装置Ａ２〜Ａ３についても同様である。
本例の無線基地局装置Ａ１は、通常、複数の移動局装置Ｂ１〜Ｂ３と接続し、複数個の音声データ（複数のチャネルの音声データ）を同時に扱う。なお、送信元の移動局装置Ｂ１〜Ｂ３は、例えば、受信したデータの送信元アドレス（例えば、受信したデータに含まれる情報）により特定することが可能である。
【００２５】
具体的には、音声データ変換部３３には、移動局装置Ｂ１〜Ｂ３から受信された音声データが一定時間毎に区切られて順次入力される。本例では、Ｎ個の移動局装置からそれぞれ異なるチャネルの音声データ（ＤＡＴＡ（１）〜ＤＡＴＡ（Ｎ））が入力されるとする。音声データ変換部３３は、同一の時間（前記した単位時間となる一定の時間間隔の範囲内）に入力されたこれらＮ個のチャネルの音声データを一括してまとめてデータブロック６１を作成し、更に、ＲＴＰパケットヘッダ６３を付加してＲＴＰパケット６２を作成する。作成されたＲＴＰパケット６２はネットワーク上に送信されて、無線回線制御装置１により受信される。
【００２６】
ここで、本例におけるデータブロック６１の作成手法では、予め、所定の数（本例では、Ｎ個）のチャネルのそれぞれの音声データを格納する領域の大きさやその並び順序が設定されていて、受信された各チャネルの音声データを対応する領域に格納することにより、データブロック６１を作成する手法を用いることができる。なお、音声データが受信されなかったチャネルに対応した領域には、データが無いことを示す値（例えば、０）が格納される。
【００２７】
図４には、無線基地局装置Ａ１の音声データ変換部３３によるＲＴＰパケット受信時の変換の様子の一例を示してある。なお、他の無線基地局装置Ａ２〜Ａ３についても同様である。
本例では、音声データ変換部３３は、受信されたＲＴＰパケットを記憶しておくメモリとして、ジッタバッファ７１を備えている。
また、本例では、音声データに関して、ネットワーク上で通信される最小の単位はＲＴＰパケットであり、無線回線制御装置１から送信された複数のＲＴＰパケットの到着順が前後にずれることがあるとする。
【００２８】
具体的には、音声データ変換部３３は、ネットワークから受信したＲＴＰパケットを順次ジッタバッファ７１に格納し、格納した複数のＲＴＰパケットについてその生成順になるように並べ替えを行う。その後、音声データ変換部３３は、ジッタバッファ７１における並び順に従ってＲＴＰパケットヘッダ８２を有するＲＴＰパケット８１を１つずつ取り出し、ジッタバッファ７１から取り出した１つのＲＴＰパケット８１を分解して複数のチャネルの音声データ（ＤＡＴＡ（１）、ＤＡＴＡ（２）、・・・、ＤＡＴＡ（Ｎ））を取り出して、一定時間間隔で対応する移動局装置Ｂ１〜Ｂ３へ送信する。
【００２９】
図５には、無線回線制御装置１の音声データ変換部５３によるＲＴＰパケット受信時の変換の様子の一例を示してある。なお、本例では、無線回線制御装置１の音声データ変換部５３の変換方式は、概略的には、無線基地局装置Ａ１〜Ａ３と同様であるが、無線回線制御装置１の音声データ変換部５３は、受信されたＲＴＰパケットを記憶しておくメモリとして、各無線基地局装置Ａ１〜Ａ３に対応した複数のジッタバッファＣ１〜Ｃ３を備えている。なお、送信元の無線基地局装置Ａ１〜Ａ３は、例えば、受信したデータの送信元ＩＰアドレス（例えば、受信したデータに含まれる情報）により特定することが可能である。
【００３０】
具体的には、音声データ変換部５３は、ネットワークから受信したＲＴＰパケットを、順次、送信した無線基地局装置Ａ１〜Ａ３毎に対応するジッタバッファＣ１〜Ｃ３に格納し、各ジッタバッファＣ１〜Ｃ３に関して格納した複数のＲＴＰパケットについてその生成順になるように並べ替えを行う。その後、音声データ変換部５３は、各ジッタバッファＣ１〜Ｃ３における並び順に従って、ＲＴＰパケットヘッダ９２、９４、９６を有するＲＴＰパケット９１、９３、９５を１つずつ取り出し、各ジッタバッファＣ１〜Ｃ３毎に、取り出した１つのＲＴＰパケット９１、９３、９５を分解して複数のチャネルの音声データ（ＲＴＰパケット９１についてはＤＡＴＡ（１）、ＤＡＴＡ（２）、・・・、ＤＡＴＡ（Ｎ）、ＲＴＰパケット９３についてはＤＡＴＡ（２−１）、ＤＡＴＡ（２−２）、・・・、ＤＡＴＡ（２−Ｎ）、ＲＴＰパケット９５についてはＤＡＴＡ（３−１）、ＤＡＴＡ（３−２）、・・・、ＤＡＴＡ（３−Ｎ））を取り出して、一定時間間隔で、回線交換処理を行う機能部へ送る。
【００３１】
図６には、無線回線制御装置１の音声データ変換部５３によるＲＴＰパケット送信時の変換の様子の一例を示してある。
本例の無線回線制御装置１は、各無線基地局装置Ａ１〜Ａ３毎に、通常、複数個の音声データ（複数のチャネルの音声データ）を同時に扱う。
なお、本例では、無線回線制御装置１の音声データ変換部５３の変換方式は、概略的には、無線基地局装置Ａ１〜Ａ３と同様であるが、無線回線制御装置１の音声データ変換部５３は、各無線基地局装置Ａ１〜Ａ３毎について処理を行う。
【００３２】
具体的には、音声データ変換部５３には、所定の回線交換処理が行われた後の音声データが一定時間毎に区切られて順次入力される。本例では、各無線基地局装置Ａ１〜Ａ３毎について、それぞれ、Ｎ個の移動局装置へのそれぞれ異なるチャネルの音声データ（ＤＡＴＡ（１）〜ＤＡＴＡ（Ｎ）など）が入力されるとする。なお、入力される各音声データには、例えば、送信すべき無線基地局装置Ａ１〜Ａ３を直接的に或いは間接的に特定することが可能な情報（例えば、無線基地局装置Ａ１〜Ａ３の識別情報や、移動局装置Ｂ１〜Ｂ３の識別情報）が含まれている。
【００３３】
音声データ変換部５３は、送信対象となる各無線基地局装置Ａ１〜Ａ３毎について、同一の時間（前記した単位時間となる一定の時間間隔の範囲内）に入力されたＮ個のチャネルの音声データを一括してまとめてデータブロック１０１、１０４、１０７を作成し、更に、ＲＴＰパケットヘッダ１０３、１０６、１０９を付加してＲＴＰパケット１０２、１０５、１０８を作成する。作成されたＲＴＰパケット１０２、１０５、１０８は、ネットワーク上に送信されて、送信対象の無線基地局装置Ａ１〜Ａ３により受信される。
【００３４】
以上のように、本例のデジタル無線システムでは、無線基地局装置Ａ１〜Ａ３と無線回線制御装置１との間をＩＰネットワーク網１３で結び、ＩＰネットワークのプロトコルを使用して、通信制御と音声データの伝送を行う。
また、本例の無線基地局装置Ａ１〜Ａ３では、通信制御用データと音声データをＩＰパケットに変換して、ＩＰネットワークを通じて無線回線制御装置１へ送信する。また、本例の無線基地局装置Ａ１〜Ａ３では、ＩＰネットワークを通じて無線回線制御装置１から受信したＩＰパケットを、通信制御用データと音声データに変換する。
【００３５】
また、本例の無線回線制御装置１では、通信制御用データと音声データをＩＰパケットに変換して、ＩＰネットワークを通じて無線基地局装置Ａ１〜Ａ３へ送信する。また、本例の無線回線制御装置１では、ＩＰネットワークを通じて無線基地局装置Ａ１〜Ａ３から受信したＩＰパケットを、通信制御用データと音声データに変換する。
【００３６】
また、本例の無線基地局装置Ａ１〜Ａ３や無線回線制御装置１では、通信制御用データをＴＣＰパケットに変換して、ＴＣＰ／ＩＰプロトコルを使用して送受信を行う。
また、本例の無線基地局装置Ａ１〜Ａ３や無線回線制御装置１では、音声データをＲＴＰパケットに変換して、ＲＴＰ／ＲＴＣＰプロトコルを使用して送受信を行う。また、本例の無線基地局装置Ａ１〜Ａ３や無線回線制御装置１では、複数の音声データを一括してＲＴＰパケットに変換して、送受信を行う。
【００３７】
このように、本例のデジタル無線システムでは、有線通信回線部分にＩＰネットワークを利用し、無線回線制御装置１と無線基地局装置Ａ１〜Ａ３との間の通信回線をＩＰネットワーク対応にすることで、無線回線制御装置１は一つの回線（本例では、回線１２）により複数の無線基地局装置Ａ１〜Ａ３と通信回線を接続することが可能となり、無線回線制御装置１の無線基地局装置Ａ１〜Ａ３との回線接続回路の規模を縮小することができる。また、同一時間（本例では、前記した単位時間となる一定の時間間隔の範囲内）に発生した複数の音声データを一括してパケット化することで、ＩＰネットワーク回線に流れるデータ量を縮小することができる。
【００３８】
ここで、本例のようなデジタル無線システムは、例えば、自営系のシステムに適用することができるばかりでなく、公衆系のシステムに適用することもでき、任意のシステムに適用されてもよい。具体例として、本例のようなデジタル無線システムは、地域防災無線のシステムや、業務用無線のシステムなどに適用することが可能である。
また、送信データとしては、音声データを例にして記載しているが、映像や文字等の非音声データでも良く、必要に応じて、ＲＴＰパケット送受信部と接続される非音声データ変換部を有しても良い。
【００３９】
なお、本例の無線基地局装置Ａ１〜Ａ３では、複数の移動局装置Ｂ１〜Ｂ３から複数のチャネルの音声データを受信して（無線回線制御装置１に対する送信対象として）取得する機能により取得手段が構成されており、音声データ変換部３３、４３により複数のチャネルの音声データをまとめて１つのＲＴＰパケットを生成する機能によりＲＴＰパケット生成手段が構成されており、ＲＴＰパケット送受信部３４、４４によりＲＴＰパケットをＩＰネットワーク網１３に対して送信する機能により送信手段が構成されている。
【００４０】
また、本例の無線回線制御装置１では、回線制御によって各基地局装置Ａ１〜Ａ３毎について複数のチャネルの音声データを送信対象として取得する機能により取得手段が構成されており、音声データ変換部５３により複数のチャネルの音声データをまとめて１つのＲＴＰパケットを生成する機能によりＲＴＰパケット生成手段が構成されており、ＲＴＰパケット送受信部５４によりＲＴＰパケットをＩＰネットワーク網１３に対して送信する機能により送信手段が構成されている。
【００４１】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００４２】
【図１】本発明の一実施例に係るデジタル無線システムの構成例を示す図である。
【図２】無線基地局装置の構成例及び無線回線制御装置の構成例を示す図である。
【図３】無線基地局装置における音声データ変換方式（ＲＴＰパケット送信）の一例を説明するための図である。
【図４】無線基地局装置における音声データ変換方式（ＲＴＰパケット受信）の一例を説明するための図である。
【図５】無線回線制御装置における音声データ変換方式（ＲＴＰパケット受信）の一例を説明するための図である。
【図６】無線回線制御装置における音声データ変換方式（ＲＴＰパケット送信）の一例を説明するための図である。
【図７】自営系のデジタル無線システムの構成例を示す図である。
【符号の説明】
【００４３】
Ａ１〜Ａ３、Ｄ１〜Ｄ３・・無線基地局装置、  Ｂ１〜Ｂ３、Ｅ１〜Ｅ４・・移動局装置、  １、２０１・・無線回線制御装置、  １１、１２・・回線、  １３・・ＩＰネットワーク網、  ２１〜２４・・ルータ、  ３１、４１、５１・・通信制御用データ変換部、  ３２、４２、５２・・ＴＣＰパケット送受信部、  ３３、４３、５３・・音声データ変換部、  ３４、４４、５４・・ＲＴＰパケット送受信部、  ６１、１０１、１０４、１０７・・データブロック、  ６２、８１、９１、９３、９５、１０２、１０５、１０８・・ＲＴＰパケット、  ６３、８２、９２、９４、９６、１０３、１０６、１０９・・ＲＴＰパケットヘッダ、  ７１、Ｃ１〜Ｃ３・・ジッタバッファ、  ２１１、２１２・・デジタル専用線、  ２１３・・デジタル専用網、  ２２１〜２２６・・ＤＳＵ、
【図１】
2010068366.tif 000003
【図２】
2010068366.tif 000004
【図３】
2010068366.tif 000005
【図４】
2010068366.tif 000006
【図５】
2010068366.tif 000007
【図６】
2010068366.tif 000008
【図７】
2010068366.tif 000009